【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
焦点検出結果の調整に用いる調整値を記憶部に設定するための調整モードを有する撮像装置であって、
被写体像を光電変換して画像の撮像を行う撮像処理手段と、
焦点状態を検出する焦点検出手段と、
フォーカスレンズの位置を制御する制御手段と、
前記焦点検出手段による検出結果の調整に用いる前記調整値を算出する算出手段とを有し、
前記調整モードにおいて、前記制御手段は、異なる複数のレンズ位置に前記フォーカスレンズを移動するように制御し、前記複数のレンズ位置の各レンズ位置において、前記撮像処理手段による画像の撮像と前記焦点検出手段による焦点状態の検出を行い、前記算出手段は、複数の前記画像の中から選択された画像に対応する前記焦点状態に基づいて前記調整値を算出し、
前記焦点検出手段により検出された焦点状態が所定の条件を満たす場合、当該焦点状態に基づく前記調整値の設定が制限されることを特徴とする撮像装置。
【請求項２】
異なるレンズ位置間で前記焦点検出手段により検出された焦点状態の変化量に基づいて、前記所定の条件を満たすか否かが判定されることを特徴とする請求項１に記載の撮像装置。
【請求項３】
異なるレンズ位置間で前記焦点検出手段により検出された焦点状態の変化量と、当該異なるレンズ位置の間隔から換算される焦点状態の変化量と、の差分が第１の閾値より大きい場合、前記所定の条件を満たすと判定されることを特徴とする請求項１または２に記載の撮像装置。
【請求項４】
前記撮像装置は、前記フォーカスレンズを備えるレンズユニットを着脱可能であって、前記第１の閾値は、装着されたレンズユニットから受信した情報に応じて変更可能であることを特徴とする請求項３に記載の撮像装置。
【請求項５】
前記撮像装置は、前記フォーカスレンズを備えるレンズユニットを着脱可能であって、装着されたレンズユニットが第１のレンズユニットの場合、前記フォーカスレンズの駆動誤差が当該第１のレンズユニットより小さい第２のレンズユニットの場合と比較して、前記第１の閾値が大きく設定されることを特徴とする請求項３または４に記載の撮像装置。
【請求項６】
前記第１の閾値は、合焦状態において前記焦点検出手段により検出された焦点状態の信頼度に応じて変更されることを特徴とする請求項３乃至５のいずれか１項に記載の撮像装置。
【請求項７】
合焦状態において前記焦点検出手段により検出された焦点状態の信頼度が所定のレベルより低い場合、当該信頼度が前記所定のレベルより高い場合と比較して、前記第１の閾値が大きく設定されることを特徴とする請求項６に記載の撮像装置。
【請求項８】
前記焦点検出手段は光電変換素子を備え、前記光電変換素子から出力される像信号に基づいて焦点状態を検出し、
前記焦点状態の信頼度は、前記像信号を用いて判定されることを特徴とする請求項６または７に記載の撮像装置。
【請求項９】
各レンズ位置において、前記焦点検出手段は所定回数の焦点状態の検出を行い、前記所定回数の焦点状態の検出結果のばらつきに基づいて、前記所定の条件を満たすか否かが判定されることを特徴とする請求項１乃至８のいずれか１項に記載の撮像装置。
【請求項１０】
前記所定回数の焦点状態の検出結果のばらつきが第２の閾値より大きい場合、前記所定の条件を満たすと判定されることを特徴とする請求項９に記載の撮像装置。
【請求項１１】
各レンズ位置において、前記焦点検出手段は所定回数の焦点状態の検出を行い、前記所定回数の焦点状態の検出結果の平均値が、当該検出結果の標準偏差に基づく所定の基準の範囲外である場合、前記所定の条件を満たすと判定されることを特徴とする請求項１乃至１０のいずれか１項に記載の撮像装置。
【請求項１２】
焦点検出結果の調整に用いる調整値を記憶部に設定するための調整モードを有する撮像装置であって、
被写体像を光電変換して画像の撮像を行う撮像処理手段と、
焦点状態を検出する焦点検出手段と、
フォーカスレンズの位置を制御する制御手段と、
前記焦点検出手段による検出結果の調整に用いる前記調整値を算出する算出手段とを有し、
前記調整モードにおいて、前記制御手段は、異なる複数のレンズ位置に前記フォーカスレンズを移動するように制御し、前記複数のレンズ位置の各レンズ位置において、前記撮像処理手段による画像の撮像と前記焦点検出手段による焦点状態の検出、前記焦点状態に基づく前記算出手段による前記調整値の算出を行い、複数の前記画像の中から選択された画像に対応する前記調整値が設定され、
前記算出手段により算出された調整値が所定の条件を満たす場合、算出された当該調整値の設定が制限されることを特徴とする撮像装置。
【請求項１３】
異なるレンズ位置間で前記算出手段により算出された調整値の変化量に基づいて、前記所定の条件を満たすか否かが判定されることを特徴とする請求項１２に記載の撮像装置。
【請求項１４】
異なるレンズ位置間で前記算出手段により算出された調整値の変化量が、当該異なるレンズ位置の間隔から換算される調整値の変化量に基づく第２の閾値より大きい場合、前記所定の条件を満たすと判定されることを特徴とする請求項１２または１３に記載の撮像装置。
【請求項１５】
前記焦点状態はデフォーカス量であることを特徴とする請求項１乃至１４のいずれか１項に記載の撮像装置。
【請求項１６】
前記算出手段は、前記焦点検出手段により検出されたデフォーカス量を、深度に関する所定の単位系に換算することで、前記調整値を算出することを特徴とする請求項１５に記載の撮像装置。
【請求項１７】
前記所定の条件を満たすと判定された場合に、前記調整モードを中止することを特徴とする請求項１乃至１６のいずれか１項に記載の撮像装置。
【請求項１８】
前記所定の条件を満たすと判定された場合に、前記調整モードを中止するか、前記調整モードの処理をやり直すかを、使用者に選択させるための手段を有することを特徴とする請求項１乃至１７のいずれか１項に記載の撮像装置。
【請求項１９】
前記所定の条件を満たすと判定された場合に、前記算出手段は、当該判定された際のレンズ位置から換算される焦点状態に基づいて前記調整値を算出することを特徴とする請求項１乃至１８のいずれか１項に記載の撮像装置。
【請求項２０】
前記所定の条件を満たすと判定された場合に警告を報知する報知手段を有することを特徴とする請求項１乃至１９のいずれか１項に記載の撮像装置。
【請求項２１】
前記調整値は、記録用の画像の撮影時において、前記焦点検出手段による検出結果の調整に用いられることを特徴とする請求項１乃至２０のいずれか１項に記載の撮像装置。
【請求項２２】
焦点検出結果の調整に用いる調整値を記憶部に設定するための調整モードを有する撮像装置の制御方法であって、
被写体像を光電変換して画像の撮像を行う撮像処理ステップと、
焦点状態を検出する焦点検出ステップと、
フォーカスレンズの位置を制御する制御ステップと、
前記焦点検出ステップにおける検出結果の調整に用いる前記調整値を算出する算出ステップとを有し、
前記調整モードにおいて、前記制御ステップでは異なる複数のレンズ位置に前記フォーカスレンズを移動するように制御し、前記複数のレンズ位置の各レンズ位置において、前記撮像処理ステップでの画像の撮像と前記焦点検出ステップでの焦点状態の検出を行い、前記算出ステップでは、複数の前記画像の中から選択された画像に対応する前記焦点状態に基づいて前記調整値を算出し、
前記焦点検出ステップで検出された焦点状態が所定の条件を満たす場合、当該焦点状態に基づく前記調整値の設定が制限されることを特徴とする撮像装置の制御方法。
【請求項２３】
焦点検出結果の調整に用いる調整値を記憶部に設定するための調整モードを有する撮像装置の制御方法であって、
被写体像を光電変換して画像の撮像を行う撮像処理ステップと、
焦点状態を検出する焦点検出ステップと、
フォーカスレンズの位置を制御する制御ステップと、
前記焦点検出ステップにおける検出結果の調整に用いる前記調整値を算出する算出ステップとを有し、
前記調整モードにおいて、前記制御ステップでは異なる複数のレンズ位置に前記フォーカスレンズを移動するように制御し、前記複数のレンズ位置の各レンズ位置において、前記撮像処理ステップでの画像の撮像と前記焦点検出ステップでの焦点状態の検出、前記焦点状態に基づく前記算出ステップでの前記調整値の算出を行い、複数の前記画像の中から選択された画像に対応する前記調整値が設定され、
前記算出ステップで算出された調整値が所定の条件を満たす場合、算出された当該調整値の設定が制限されることを特徴とする撮像装置の制御方法。
【手続補正２】
【補正対象書類名】明細書
【補正対象項目名】００１０
【補正方法】変更
【補正の内容】
【００１０】
上記目的に鑑みて、第１の本発明は、焦点検出結果の調整に用いる調整値を記憶部に設定するための調整モードを有する撮像装置であって、被写体像を光電変換して画像の撮像を行う撮像処理手段と、焦点状態を検出する焦点検出手段と、フォーカスレンズの位置を制御する制御手段と、前記焦点検出手段による検出結果の調整に用いる前記調整値を算出する算出手段とを有し、前記調整モードにおいて、前記制御手段は、異なる複数のレンズ位置に前記フォーカスレンズを移動するように制御し、前記複数のレンズ位置の各レンズ位置において、前記撮像処理手段による画像の撮像と前記焦点検出手段による焦点状態の検出を行い、前記算出手段は、複数の前記画像の中から選択された画像に対応する前記焦点状態に基づいて前記調整値を算出し、前記焦点検出手段により検出された焦点状態が所定の条件を満たす場合、当該焦点状態に基づく前記調整値の設定が制限されることを特徴とする。
【手続補正３】
【補正対象書類名】明細書
【補正対象項目名】００１１
【補正方法】変更
【補正の内容】
【００１１】
第２の本発明は、焦点検出結果の調整に用いる調整値を記憶部に設定するための調整モードを有する撮像装置であって、被写体像を光電変換して画像の撮像を行う撮像処理手段と、焦点状態を検出する焦点検出手段と、フォーカスレンズの位置を制御する制御手段と、前記焦点検出手段による検出結果の調整に用いる前記調整値を算出する算出手段とを有し、前記調整モードにおいて、前記制御手段は、異なる複数のレンズ位置に前記フォーカスレンズを移動するように制御し、前記複数のレンズ位置の各レンズ位置において、前記撮像処理手段による画像の撮像と前記焦点検出手段による焦点状態の検出、前記焦点状態に基づく前記算出手段による前記調整値の算出を行い、複数の前記画像の中から選択された画像に対応する前記調整値が設定され、前記算出手段により算出された調整値が所定の条件を満たす場合、算出された当該調整値の設定が制限されることを特徴とする。